(57)【要約】【課題】複数の表示パネルを含む場合に、より小型化を図ることが可能な表示装置を提供する。【解決手段】この表示装置は、ガラス基板１上に形成されたメインパネル２と、同一のガラス基板１上で、かつ、メインパネル２が形成される領域とは異なる領域に形成されたサブパネル３と、メインパネル２とサブパネル３とで共用化されたＶシフトレジスタ４およびＨシフトレジスタ６とを備えている。【選択図】図１
2004070224.tif 000002
【特許請求の範囲】
【請求項１】
基板上に形成された第１表示パネルと、
前記基板と同一基板上で、かつ、前記第１表示パネルが形成される領域とは異なる領域に形成された第２表示パネルと、
前記第１表示パネルと前記第２表示パネルとで共用化されたシフトレジスタとを備えた、表示装置。
【請求項２】
前記第１表示パネルと前記第２表示パネルとで共用化されたシフトレジスタは、
前記第１表示パネルのゲート線および前記第２表示パネルのゲート線を駆動するための第１シフトレジスタと、
前記第１表示パネルのドレイン線および前記第２表示パネルのドレイン線を駆動するための第２シフトレジスタとを含む、請求項１に記載の表示装置。
【請求項３】
前記第１表示パネルと前記第２表示パネルとは、前記ドレイン線の延びる方向に沿って配置されている、請求項２に記載の表示装置。
【請求項４】
前記第１シフトレジスタの前記第２表示パネルに対応する部分には配置されずに、前記第１シフトレジスタの前記第１表示パネルに対応する部分に配置され、前記第１表示パネルのゲート線に与える信号の電圧レベルを変換するためのレベルシフタをさらに備える、請求項３に記載の表示装置。
【請求項５】
前記第１シフトレジスタの前記第１表示パネルに対応する部分および前記第２表示パネルに対応する部分のいずれか一方の出力を停止する出力停止回路をさらに備える、請求項３または４に記載の表示装置。
【請求項６】
前記ゲート線および前記ドレイン線のいずれか一方が、前記第１表示パネルおよび前記第２表示パネルで共通化されている、請求項２〜５のいずれか１項に記載の表示装置。
【請求項７】
前記第１表示パネルと前記第２表示パネルとは、前記ドレイン線の延びる方向に沿って配置されており、
前記ドレイン線は、前記第１表示パネルから前記第２表示パネルまで連続している、請求項６に記載の表示装置。
【請求項８】
前記ドレイン線を駆動する第２シフトレジスタは、前記第１表示パネルと前記第２表示パネルとの間に配置されている、請求項３〜５のいずれか１項に記載の表示装置。
【請求項９】
基板上に形成された第１表示パネルと、
前記基板と同一基板上で、かつ、前記第１表示パネルが形成される領域とは異なる領域に形成された第２表示パネルと、
互いに交差するように配置されたドレイン線およびゲート線とを備え、
前記ドレイン線および前記ゲート線のいずれか一方は、前記第１表示パネルから前記第２表示パネルまで連続している、表示装置。
【発明の詳細な説明】
【０００１】
【発明の属する技術分野】
この発明は、表示装置に関し、特に、複数の表示パネルを含む表示装置に関する。
【０００２】
【従来の技術】
従来、携帯電話などの表示パネルとして用いられる携帯可能な表示装置が知られている。また、従来、メインパネルとサブパネルとの２つの表示パネルを含む折りたたみ式の携帯電話などが知られている。
【０００３】
図５および図６は、従来のメインパネルとサブパネルとの２つの液晶表示パネルを含む折りたたみ式の携帯電話を示した斜視図である。図５および図６を参照して、従来の折りたたみ式の携帯電話１００は、表示部１００ａと操作部１００ｂとから構成されている。表示部１００ａは、操作部１００ｂ側の面に設けられたメインパネル１０１と、操作部１００ｂとは反対側の面に設けられたサブパネル１０２とを含んでいる。そして、不使用時には、図５に示すように、表示部１００ａが操作部１００ｂに対して折りたたまれている。この折りたたまれた状態では、サブパネル１０２によって時間情報などが表示される。また、使用時には、図５に示した状態から図５の矢印の方向に表示部１００ａが開かれて、図６に示すような状態となる。この状態では、メインパネル１０１によって電話番号や動画などが表示される。
【０００４】
上記した従来のメインパネル１０１とサブパネル１０２とを含む携帯電話１００では、メインパネル１０１とサブパネル１０２とを別々に搭載していたため、携帯電話１００の筐体が大きくなるという不都合があった。このため、携帯電話１００の小型化を図るのが困難であった。
【０００５】
そこで、従来、メインパネルとサブパネルとを含む携帯電話などの携帯機器において、バックライトの上方および下方にそれぞれメインパネルおよびサブパネルを配置することによって、メインパネルとサブパネルとでバックライトを共用化する技術が提案されている。これにより、バックライトを共用化した分、筐体の小型化を図ることが可能である。
【０００６】
【発明が解決しようとする課題】
ここで、携帯電話１００などの携帯機器に使用される液晶表示装置では、特に、小型化の要求が強いので、さらなる小型化を図る必要がある。しかしながら、上記したバックライトを共用化する技術では、メインパネルおよびサブパネルのパネル自体は別々に搭載されるので、小型化には限界があった。その結果、上記バックライトを共用化する技術では、さらなる小型化を図るのは困難であるという問題点があった。
【０００７】
また、上記バックライトを共用化する技術では、メインパネルおよびサブパネルのパネル自体は別々に搭載されるので、部品点数をより削減するとともに、組立工程をより簡略化するのは困難であった。その結果、装置コストをより低減するのが困難であるという問題点もあった。
【０００８】
この発明は上記のような課題を解決するためになされたものであり、
この発明の１つの目的は、複数の表示パネルを含む場合に、より小型化を図ることが可能な表示装置を提供することである。
【０００９】
また、この発明のもう１つの目的は、上記の表示装置において、部品点数をより削減するとともに、組立工程をより簡略化することである。
【００１０】
【課題を解決するための手段】
上記目的を達成するために、この発明の一の局面による表示装置は、基板上に形成された第１表示パネルと、その基板と同一基板上で、かつ、第１表示パネルが形成される領域とは異なる領域に形成された第２表示パネルと、第１表示パネルと第２表示パネルとで共用化されたシフトレジスタとを備えている。
【００１１】
この一の局面による表示装置では、上記のように、同一の基板上の異なる領域に第１表示パネルおよび第２表示パネルを形成するとともに、第１表示パネルおよび第２表示パネルでシフトレジスタを共用化することによって、第１表示パネルおよび第２表示パネルを別々の基板上に形成する場合に比べて、より小型化を図ることができる。また、第１表示パネルと第２表示パネルとで、基板およびシフトレジスタを共用化することによって、部品点数をより削減することができるとともに、組立工程をより簡略化することができる。これにより、装置コストをより削減することができる。
【００１２】
上記一の局面による表示装置において、好ましくは、第１表示パネルと第２表示パネルとで共用化されたシフトレジスタは、第１表示パネルのゲート線および第２表示パネルのゲート線を駆動するための第１シフトレジスタと、第１表示パネルのドレイン線および第２表示パネルのドレイン線を駆動するための第２シフトレジスタとを含む。このように構成すれば、容易に、１つの第１シフトレジスタにより第１表示パネルのゲート線および第２表示パネルのゲート線を駆動することができるとともに、１つの第２シフトレジスタにより第１表示パネルのドレイン線および第２表示パネルのドレイン線を駆動することができる。
【００１３】
この場合、好ましくは、第１表示パネルと第２表示パネルとは、ドレイン線の延びる方向に沿って配置されている。このように構成すれば、容易に、第１表示パネルと第２表示パネルとで、ドレイン線を共通化することができる。
【００１４】
また、この場合、第１シフトレジスタの第２表示パネルに対応する部分には配置されずに、第１シフトレジスタの第１表示パネルに対応する部分に配置され、第１表示パネルのゲート線に与える信号の電圧レベルを変換するためのレベルシフタをさらに備える。このように構成すれば、たとえば、第１表示パネルのみ対極ＡＣ駆動する場合のように、第１表示パネルのゲート線のみに負電圧を印加する必要がある場合に、容易に、レベルシフタを用いて第１表示パネルのゲート線にレベル変換された負電圧を印加することができる。また、レベルシフタを第１表示パネルに対応する部分のみに設けることによって、消費電力を低減することができる。
【００１５】
上記の場合、好ましくは、第１シフトレジスタの第１表示パネルに対応する部分および第２表示パネルに対応する部分のいずれか一方の出力を停止する出力停止回路をさらに備える。このように構成すれば、第１表示パネルと第２表示パネルとで第１シフトレジスタを共用化した場合にも、容易に、第１表示パネルまたは第２表示パネルのみを表示させることができる。また、出力停止回路からの出力を複数の走査のうちの１回のみ出力するようにすれば、たとえば、データの書き換え回数が多く必要な動画などを表示する第１表示パネルと、動画などを表示しないためにデータの書き換え回数を多く必要としない第２表示パネルとで第１シフトレジスタを共用化した場合に、出力停止回路により、第２表示パネルの書き換え周期のみを長くすることができる。これにより、第１表示パネルのデータ書き換え回数を多く保ちながら、第２表示パネルのデータ書き換え回数のみを少なくすることができる。
【００１６】
上記の場合、好ましくは、ゲート線およびドレイン線のいずれか一方が、第１表示パネルおよび第２表示パネルで共通化されている。このように構成すれば、ゲート線またはドレイン線のいずれか一方の本数を削減することができるので、消費電力を低減することができるとともに、狭額縁化を図ることができる。
【００１７】
この場合、好ましくは、第１表示パネルと第２表示パネルとは、ドレイン線の延びる方向に沿って配置されており、ドレイン線は、第１表示パネルから第２表示パネルまで連続している。このように構成すれば、容易に、ドレイン線の本数を削減することができる。
【００１８】
また、上記した第１表示パネルと第２表示パネルとがドレイン線の延びる方向に沿って配置される場合において、ドレイン線を駆動する第２シフトレジスタは、第１表示パネルと第２表示パネルとの間に配置されていてもよい。このように構成すれば、第２シフトレジスタを第１表示パネルまたは第２表示パネルの一方の端部に配置する場合に比べて、第２シフトレジスタから第１表示パネルまたは第２表示パネルまでの距離が短くなるので、ドレイン線の負荷を小さくすることができる。
【００１９】
この発明の他の局面による表示装置は、基板上に形成された第１表示パネルと、基板と同一基板上で、かつ、第１表示パネルが形成される領域とは異なる領域に形成された第２表示パネルと、互いに交差するように配置されたドレイン線およびゲート線とを備え、ドレイン線およびゲート線のいずれか一方は、第１表示パネルから第２表示パネルまで連続している。
【００２０】
この他の局面による表示装置では、上記のように、ドレイン線およびゲート線のいずれか一方を、第１表示パネルから第２表示パネルまで連続するように形成することによって、ゲート線またはドレイン線のいずれか一方の本数を削減することができるので、消費電力を低減することができるとともに、狭額縁化を図ることができる。
【００２１】
【発明の実施の形態】
以下、本発明を具体化した実施形態を図面に基づいて説明する。
【００２２】
（第１実施形態）
図１は、本発明の第１実施形態によるサブパネルとメインパネルとの２つの表示パネルを含む携帯電話用の液晶表示装置を示した平面図である。図２は、図１に示した第１実施形態による液晶表示装置のＶシフトレジスタ周辺の内部構成を示した回路図である。
【００２３】
まず、図１を参照して、この第１実施形態では、同一のガラス基板１上の異なる領域に、メインパネル２とサブパネル３とが形成されている。このメインパネル２とサブパネル３とは、ドレイン線の延びる方向に沿って配置されている。メインパネル２は、透過型または半透過型によって構成されており、サブパネル３は、反射型によって構成されている。これにより、メインパネル２とサブパネル３とを互いに反対側の面に表示することが可能な両面表示型の液晶表示装置が得られる。なお、ガラス基板１は、本発明の「基板」の一例である。また、メインパネル２は、本発明の「第１表示パネル」の一例であり、サブパネル３は、本発明の「第２表示パネル」の一例である。
【００２４】
メインパネル２のサブパネル３が配置される側と反対側には、ドレイン線を駆動（走査）するためのＨシフトレジスタ６が配置されている。Ｈシフトレジスタ６とメインパネル２との間には、ドレイン線スイッチ７が配置されている。このドレイン線スイッチ７は、サンプリング信号に応じて、順次スイッチをオンさせることにより映像信号を順次各ドレイン線に供給するために設けられている。また、メインパネル２のゲート線およびサブパネル３のゲート線の延びる方向と直交する方向に、メインパネル２のゲート線およびサブパネル３のゲート線を駆動（走査）するためのＶシフトレジスタ４が配置されている。また、Ｖシフトレジスタ４とメインパネル２との間には、メインパネル２のゲート線に与える信号の負電圧のレベルを変換するためのＶレベルシフタ５が配置されている。なお、Ｖシフトレジスタ４は、本発明の「第１シフトレジスタ」の一例であり、Ｈシフトレジスタ６は、本発明の「第２シフトレジスタ」の一例である。また、Ｖレベルシフタ５は、本発明の「レベルシフタ」の一例である。
【００２５】
ここで、第１実施形態では、Ｖシフトレジスタ４がメインパネル２とサブパネル３とで共用化されているとともに、Ｈシフトレジスタ６がメインパネル２とサブパネル３とで共用化されている。また、ドレイン線がメインパネル２とサブパネル３とで共通化されている。すなわち、ドレイン線が、Ｈシフトレジスタ６からメインパネル２を貫いてサブパネル３まで連続している。
【００２６】
また、液晶表示パネルを構成するガラス基板１とは別個に、外部ＩＣ１０が設けられている。外部ＩＣ１０は、電源回路１１と、ＥＮＢ信号制御回路１２とを含んでいる。電源回路１１は、正電圧ＶＤＤを発生するための回路と、負電圧ＶＢＢを発生させるための回路とを含んでいる。これにより、外部ＩＣ１０から、Ｖシフトレジスタ４およびＨシフトレジスタ６に正電圧ＶＤＤが供給されるとともに、Ｖレベルシフタ５に、負電圧ＶＢＢが供給される。また、Ｖシフトレジスタ４には、外部ＩＣ１０から、垂直クロック信号ＶＣＬＫ、スタート信号ＶＳＴおよびＥＮＢ信号が供給される。また、Ｈシフトレジスタ６には、外部ＩＣ１０から、水平クロック信号ＨＣＬＫおよびスタート信号ＨＳＴが供給される。
【００２７】
次に、図２を参照して、第１実施形態による液晶表示装置のＶシフトレジスタ４の内部構成について説明する。Ｖシフトレジスタ４は、シフトレジスタ４ａ、４ｂ、４ｃ、４ｄおよび４ｅを含んでいる。また、Ｖシフトレジスタ４は、３つの入力端子と１つの出力端子とを有するＡＮＤ回路からなるＡＮＤ１、ＡＮＤ２、ＡＮＤ３およびＡＮＤ４を含んでいる。ＡＮＤ１の入力端子には、シフトレジスタ４ａおよび４ｂの出力と、ＥＮＢ信号とが入力される。また、ＡＮＤ２の入力端子には、シフトレジスタ４ｂおよび４ｃの出力と、ＥＮＢ信号とが入力される。また、ＡＮＤ３の入力端子には、シフトレジスタ４ｃおよび４ｄの出力と、ＥＮＢ信号とが入力される。また、ＡＮＤ４の入力端子には、シフトレジスタ４ｄおよび４ｅの出力と、ＥＮＢ信号とが入力される。
【００２８】
ＡＮＤ１、ＡＮＤ２、ＡＮＤ３およびＡＮＤ４では、３つの入力の全てがＨレベルになったときにのみ、Ｈレベルが出力され、３つの入力のうち１つでもＬレベルがあると、Ｌレベルが出力される。
【００２９】
また、ＡＮＤ１およびＡＮＤ２の出力端子は、それぞれ、ゲート線Ｇ１およびＧ２に接続されている。また、ＡＮＤ３およびＡＮＤ４の出力端子は、それぞれ、Ｖレベルシフタ５の各レベルシフタ５ａおよび５ｂを介して、ゲート線Ｇ３およびＧ４に接続されている。
【００３０】
ここで、ＡＮＤ１およびＡＮＤ２は、サブパネル３への出力を停止する出力停止回路４１を構成する。また、ＡＮＤ３およびＡＮＤ４は、メインパネル２への出力を停止する出力停止回路４２を構成する。
【００３１】
また、メインパネル２の各画素は、スイッチングトランジスタ２１と、液晶２２と、補助容量２３とを含んでいる。スイッチングトランジスタ２１のゲートは、ゲート線Ｇ３またはＧ４に接続されており、スイッチングトランジスタ２１のドレインは、ドレイン線Ｄ１に接続されている。また、スイッチングトランジスタ２１のソースには、液晶２２の表示電極が接続されている。また、スイッチングトランジスタ２１のソースには、補助容量２３の一方の電極が接続されている。また、サブパネル３の各画素は、スイッチングトランジスタ３１と、液晶３２と、補助容量３３とを含んでいる。スイッチングトランジスタ３１のゲートは、ゲート線Ｇ１またはＧ２に接続されており、スイッチングトランジスタ３１のドレインは、ドレイン線Ｄ１に接続されている。また、スイッチングトランジスタ３１のソースには、液晶３２の表示電極が接続されている。また、スイッチングトランジスタ３１のソースには、補助容量３３の一方の電極が接続されている。この補助容量３３は、書き換え回数の少ないサブパネル３のデータを一定期間保持するため、メインパネル２の補助容量２３よりも大きい容量を有する。
【００３２】
なお、メインパネル２は、対極ＡＣ駆動によって駆動され、サブパネル３は、対極ＤＣ駆動によって駆動される。ここで、対極ＡＣ駆動とは、映像信号を印加する表示画素の一方電極（表示電極）とは異なる他方電極（対極：ＣＯＭ）を交流駆動させることによって、映像信号の振幅を約半分にする駆動方式をいう。この対極ＡＣ駆動を用いる場合には、対極（ＣＯＭ）の電位と映像信号の電位によっては、画素電極の電位が負の電位になる場合がある。この場合、スイッチングトランジスタ２１のゲート電位が正電位または０であるとスイッチングトランジスタ２１がオンするため、メインパネル２のゲート線Ｇ３およびＧ４には、負電圧を印加する必要がある。このため、対極ＡＣ駆動を行うためには、Ｖレベルシフタ５によりレベル変換された負電圧をメインパネル２のゲート線Ｇ３およびＧ４に供給する必要がある。
【００３３】
その一方、対極ＤＣ駆動は、対極（ＣＯＭ）を一定の電圧にする駆動方式であるので、映像信号の電位が負の電位になることはない。したがって、対極ＤＣ駆動を行うサブパネル３のゲート線Ｇ１およびＧ２には、負電圧を供給する必要がない。このため、第１実施形態では、Ｖレベルシフタ５は、メインパネル２のゲート線Ｇ３およびＧ４に対応する部分のみに配置されており、サブパネル３のゲート線Ｇ１およびＧ２に対応する部分には配置されていない。
【００３４】
図３は、図２に示した第１実施形態による液晶表示装置のＶシフトレジスタの駆動方法を説明するためのタイミングチャート図である。次に、図２および図３を参照して、第１実施形態による液晶表示装置のＶシフトレジスタ４の駆動方法について説明する。
【００３５】
まず、Ｖシフトレジスタ４は、スタート信号ＶＳＴ（図２参照）によって駆動が開始される。そして、Ｖシフトレジスタ４のシフトレジスタ４ａ〜４ｅ（ＳＲ１〜ＳＲ５）は、垂直クロック信号ＶＣＬＫに同期して、図３に示すように、順次一定期間Ｈレベルになる。この場合、第１回目の走査時には、サブパネル３に対応するＡＮＤ１およびＡＮＤ２にＨレベルのＥＮＢ信号（ＥＮＢ１およびＥＮＢ２）を供給するとともに、メインパネル２に対応するＡＮＤ３およびＡＮＤ４にもＨレベルのＥＮＢ信号（ＥＮＢ３およびＥＮＢ４）を供給する。このＥＮＢ信号の制御は、図１に示した外部ＩＣ１０に内蔵されるＥＮＢ信号制御回路１２によって行われる。これにより、図３に示すように、第１回目の走査時には、ＡＮＤ１、ＡＮＤ２、ＡＮＤ３およびＡＮＤ４の出力がそれぞれ一定期間Ｈレベルになる。これにより、第１回目の走査では、ゲート線Ｇ１、Ｇ２、Ｇ３およびＧ４の全てがそれぞれ一定期間Ｈレベルになる。
【００３６】
なお、ＥＮＢ信号は、従来、プリチャージ期間中に、画素トランジスタ（スイッチングトランジスタ）がオンしないようにするために用いられている。ドレイン線のプリチャージは、あらかじめドレイン線をある程度の電圧に立ち上げておいて、映像信号を少し上乗せするだけでよい状態にするために行われる。この第１実施形態では、そのＥＮＢ信号を、メインパネル２とサブパネル３との書き換え周期を変更するための制御信号や、サブパネル３またはメインパネル２を停止するための制御信号として用いる。
【００３７】
上記のように、サブパネル３およびメインパネル２の１回目の走査時に、サブパネル３に対応するゲート線Ｇ１およびＧ２をＨレベルにすることによって、サブパネル３のスイッチングトランジスタ３１がオンする。これにより、ドレイン線Ｄ１に供給された映像信号がスイッチングトランジスタ３１を介して液晶３２の表示電極および補助容量３３に供給される。その結果、サブパネル３の対応する画素の表示が行われる。
【００３８】
また、メインパネル２のスイッチングトランジスタ２１には、ＡＮＤ３およびＡＮＤ４の出力が、Ｖレベルシフタ５のレベルシフタ５ａおよび５ｂを介してゲート線Ｇ３およびＧ４に供給される。ＡＮＤ３およびＡＮＤ４の出力が、Ｈレベルの場合には、ゲート線Ｇ３およびＧ４には、Ｖレベルシフタ５のレベルシフタ５ａおよび５ｂを介して、同じＨレベルの電圧が供給される。これにより、スイッチングトランジスタ２１がオン状態になる。この状態で、ドレイン線Ｄ１にメインパネル２用の映像信号が供給されるので、その映像信号は液晶２２の表示電極に供給される。これにより、メインパネル２の対応する画素の表示が行われる。
【００３９】
なお、メインパネル２の画素にデータを供給しない期間は、ＡＮＤ３およびＡＮＤ４の出力がＬレベルになるとともに、ゲート線Ｇ３およびＧ４には、レベルシフタ５ａおよび５ｂによってレベル変換された負電圧が供給される。
【００４０】
また、第１実施形態では、Ｖシフトレジスタ４によるゲート線の２回目以降の走査時には、サブパネル３に対応するＡＮＤ１およびＡＮＤ２の出力を強制的にＬレベルにする。すなわち、サブパネル３の２回目以降のゲート線の走査時に、ＥＮＢ信号を図３に示すようにＬレベル（ＥＮＢ１、ＥＮＢ２）にすることによって、サブパネル３に対応するＡＮＤ１およびＡＮＤ２の出力を強制的にＬレベルにする。これにより、Ｖシフトレジスタ４によるゲート線の２回目以降の走査時に、ゲート線Ｇ１およびＧ２への出力を停止する。この場合、スイッチングトランジスタ３１はオフ状態になるので、映像信号の書き込みは行われない。つまり、この場合には、ＡＮＤ１およびＡＮＤ２が、出力停止回路４１を構成する。
【００４１】
なお、サブパネル３では、１秒間に１０回〜５０回程度（１０Ｈｚ〜５０Ｈｚ程度）の割合でＥＮＢ信号（ＥＮＢ１、ＥＮＢ２）を一定期間Ｈレベルにすることによって、１秒間に１０回〜５０回程度、スイッチングトランジスタ３１はオン状態になるので、１秒間に１０回〜５０回程度、映像信号がサブパネル３の液晶３２に書き込まれる。
【００４２】
その一方、メインパネル２のゲート線Ｇ３およびＧ４には、２回目以降の走査時も１回目の走査時と同様、ＥＮＢ信号（ＥＮＢ３、ＥＮＢ４）を一定期間Ｈレベルにすることによって、ゲート線Ｇ３およびＧ４に、Ｈレベルを一定期間出力する。これにより、メインパネル２のスイッチングトランジスタ２１がオン状態になるので、メインパネル２の液晶２２に映像信号が書き込まれる。
【００４３】
上記のように、第１実施形態において、メインパネル２とサブパネル３とを両方使用する際には、動画なども表示されるメインパネル２は常に高い周波数（約６０Ｈｚ）で駆動するとともに、サブパネル３は１秒間に１０回〜５０回程度の周波数（約１０Ｈｚ〜約５０Ｈｚ）で書き換える。この場合、サブパネル３の液晶３２の書き換え回数が少なくなるとフリッカ（ちらつき）や表示むらなどが現れやすいため、映像データを一定期間保持可能なように、サブパネル３の画素には、容量の大きい補助容量３３を設けている。このサブパネル３の補助容量３３は、メインパネル２の補助容量２３の３倍以上の容量値を有するのが好ましい。なお、メインパネル２の補助容量２３の３倍〜４倍程度の容量値を有するサブパネル３の補助容量３３であれば、サブパネル３のレイアウト上、容易に形成可能である。この場合、サブパネル３は１秒間に１５回〜２０回程度の周波数（約１５Ｈｚ〜約２０Ｈｚ）で書き換えるのが好ましい。
【００４４】
なお、メインパネル２のみ使用する場合には、サブパネル３に対応するＥＮＢ信号（ＥＮＢ１、ＥＮＢ２）を常にＬレベルの状態にすればよい。この場合には、ＡＮＤ１およびＡＮＤ２からの出力が常にＬレベルになるので、ゲート線Ｇ１およびＧ２が常にＬレベルに保持される。これにより、スイッチングトランジスタ３１が常にオフ状態になるので、サブパネル３の液晶３２には、データが書き込まれない。この場合には、サブパネル３の表示は行われず、メインパネル２の表示のみ行われる。この場合のＡＮＤ１およびＡＮＤ２は、出力停止回路４１を構成する。
【００４５】
また、サブパネル３のみ使用する場合には、メインパネル２に対応するＥＮＢ信号（ＥＮＢ３、ＥＮＢ４）を常にＬレベルの状態にすればよい。この場合には、ＡＮＤ３およびＡＮＤ４からの出力が常にＬレベルになるので、ゲート線Ｇ３およびＧ４が常にＬレベル（負電圧）に保持される。これにより、スイッチングトランジスタ２１が常にオフ状態になるので、メインパネル２の液晶２２には、データが書き込まれない。この場合には、メインパネル２の表示は行われず、サブパネル３の表示のみ行われる。この場合のＡＮＤ３およびＡＮＤ４は、出力停止回路４２を構成する。
【００４６】
第１実施形態では、上記のように、同一のガラス基板１上にメインパネル２およびサブパネル３を設けるとともに、Ｖシフトレジスタ４およびＨシフトレジスタ６をメインパネル２およびサブパネル３で共用化することによって、メインパネル２およびサブパネル３を別々のガラス基板上に形成する場合に比べて、より小型化を図ることができる。また、メインパネル２とサブパネル３とで、ガラス基板１とＶシフトレジスタ４およびＨシフトレジスタ６とを共用化することによって、部品点数をより削減することができるとともに、組立工程をより簡略化することができる。これにより、装置コストをより削減することができる。
【００４７】
また、第１実施形態では、ドレイン線をメインパネル２とサブパネル３とで共通化することによって、ドレイン線の本数を削減することができる。これにより、消費電力を低減することができるとともに、狭額縁化を図ることができる。
【００４８】
また、第１実施形態では、Ｖレベルシフタ５を、メインパネル２に対応する部分のみに設けることによって、消費電力を低減することができる。
【００４９】
また、第１実施形態では、Ｖシフトレジスタ４のサブパネル３に対応する部分の出力を停止する出力停止回路４１を設けることによって、データの書き換え回数が多く必要な動画などを表示するメインパネル２と、動画などを表示しないためにデータの書き換え回数を多く必要としないサブパネル３とでＶシフトレジスタ４を共用化した場合に、出力停止回路４１により、サブパネル３の書き換え周期のみを長くすることができる。その結果、メインパネル２とサブパネル３とでＶシフトレジスタ４を共用化した場合にも、容易に、メインパネルのデータ書き換え回数を多く保ちながら、サブパネル３のデータ書き換え回数のみを少なくすることができる。
【００５０】
また、第１実施形態では、サブパネル３を使用せずにメインパネル２のみ使用する場合には、出力停止回路４１からの出力を停止する（Ｌレベルにする）ようにＥＮＢ信号（ＥＮＢ１、ＥＮＢ２）を常にＬレベルにすることによって、容易に、サブパネル３を不使用状態にすることができる。また、メインパネル２を使用せずにサブパネル３のみ使用する場合には、出力停止回路４２からの出力を停止する（Ｌレベルにする）ようにＥＮＢ信号（ＥＮＢ３、ＥＮＢ４）を常にＬレベルにすることによって、容易に、メインパネル２を不使用状態にすることができる。
【００５１】
（第２実施形態）
図４は、本発明の第２実施形態によるメインパネルとサブパネルとの２つの表示パネルを含む携帯電話用の液晶表示装置を示した平面図である。図４を参照して、この第２実施形態では、上記第１実施形態と異なり、メインパネルとサブパネルとの間にＨシフトレジスタを配置している。以下、詳細に説明する。
【００５２】
この第２実施形態では、図４に示すように、同一のガラス基板５１上の異なる領域に、メインパネル５２とサブパネル５３とが形成されている。また、メインパネル５２とサブパネル５３とは、ドレイン線の延びる方向に沿って配置されている。メインパネル５２は、透過型または半透過型によって構成されており、サブパネル５３は、反射型によって構成されている。これにより、メインパネル５２とサブパネル５３とを互いに反対側の面に表示することが可能な両面表示型の液晶表示装置が得られる。なお、ガラス基板５１は、本発明の「基板」の一例である。また、メインパネル５２は、本発明の「第１表示パネル」の一例であり、サブパネル５３は、本発明の「第２表示パネル」の一例である。
【００５３】
ここで、第２実施形態では、メインパネル５２とサブパネル５３との間に、Ｈシフトレジスタ５６が配置されている。Ｈシフトレジスタ５６とメインパネル５２との間には、メインパネル５２用のドレイン線スイッチ５７ａが配置されている。また、Ｈシフトレジスタ５６とサブパネル５３との間には、サブパネル５３用のドレイン線スイッチ５７ｂが配置されている。なお、ドレイン線スイッチ５７ａおよび５７ｂは、サンプリング信号に応じて、順次スイッチをオンさせることにより映像信号を順次各ドレイン線に供給するために設けられている。また、メインパネル５２のゲート線およびサブパネル５３のゲート線の延びる方向に対して直交する方向にＶシフトレジスタ５４が配置されている。また、Ｖシフトレジスタ５４とメインパネル５２との間には、メインパネル５２の対応する部分のみに、Ｖレベルシフタ５５が配置されている。また、Ｖシフトレジスタ５４は、メインパネル５２とサブパネル５３とで共用化されているとともに、Ｈシフトレジスタ５６は、メインパネル５２とサブパネル５３とで共用化されている。また、ドレイン線がメインパネル５２とサブパネル５３とで共通化されている。
【００５４】
なお、Ｖシフトレジスタ５４は、本発明の「第１シフトレジスタ」の一例であり、Ｈシフトレジスタ５６は、本発明の「第２シフトレジスタ」の一例である。また、Ｖレベルシフタ５５は、本発明の「レベルシフタ」の一例である。なお、メインパネル５２、サブパネル５３、Ｖシフトレジスタ５４およびＶレベルシフタ５５の内部構成は、それぞれ、上記した第１実施形態のメインパネル２、サブパネル３、Ｖシフトレジスタ４およびＶレベルシフタ５の内部構成と同様である。
【００５５】
Ｖシフトレジスタ５４には、外部ＩＣ１０から、正電圧ＶＤＤ、垂直クロック信号ＶＣＬＫ、スタート信号ＶＳＴおよびＥＮＢ信号が供給される。また、Ｖレベルシフタ５５には、外部ＩＣ１０から、負電圧ＶＢＢが供給される。また、Ｈシフトレジスタ５６には、外部ＩＣ１０から、水平クロック信号ＨＣＬＫ、スタート信号ＨＳＴおよび正電圧ＶＤＤが供給される。
【００５６】
なお、この第２実施形態のＶシフトレジスタ５４の駆動方法は、上記した第１実施形態のＶシフトレジスタ４の駆動方法と同様である。
【００５７】
第２実施形態では、上記のように、メインパネル５２およびサブパネル５３のドレイン線を駆動するＨシフトレジスタ５６を、メインパネル５２とサブパネル５３との間に配置することによって、図１に示した第１実施形態に比べて、Ｈシフトレジスタ５６からサブパネル５３までの距離が短くなるので、サブパネル５３のドレイン線の負荷を小さくすることができる。これにより、サブパネル５３用のドレイン線スイッチ５７ｂを構成するトランジスタを小さくすることができる。
【００５８】
また、第２実施形態では、上記第１実施形態と同様、同一のガラス基板５１上にメインパネル５２およびサブパネル５３を設けるとともに、Ｖシフトレジスタ５４およびＨシフトレジスタ５６をメインパネル５２およびサブパネル５３で共用化することによって、メインパネル５２およびサブパネル５３を別々のガラス基板上に形成する場合に比べて、より小型化を図ることができる。また、メインパネル５２とサブパネル５３とで、ガラス基板５１と、Ｖシフトレジスタ５４およびＨシフトレジスタ５６とを共用化することによって、部品点数をより削減することができるとともに、組立工程をより簡略化することができる。これにより、装置コストをより削減することができる。
【００５９】
この第２実施形態のその他の効果は、上記した第１実施形態と同様である。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記実施形態では、メインパネルとサブパネルとでドレイン線を共通化する例を示したが、本発明はこれに限らず、メインパネルとサブパネルとでゲート線を共通化するようにしてもよい。この場合には、ゲート線の延びる方向に沿ってメインパネルとサブパネルとを配置すればよい。
【００６２】
また、上記実施形態では、メインパネルとサブパネルとで、ＶシフトレジスタおよびＨシフトレジスタの両方を共用化する例について説明したが、本発明はこれに限らず、メインパネルとサブパネルとで、ＶシフトレジスタおよびＨシフトレジスタのいずれか一方のみを共用化するようにしてもよい。
【００６３】
また、上記実施形態では、メインパネルとサブパネルの２つの液晶表示パネルを含む携帯電話用の液晶表示装置を例にとって説明したが、本発明はこれに限らず、複数の表示パネルを含む携帯電話以外の携帯機器用の表示装置や携帯機器以外の機器用の表示装置にも同様に適用可能である。
【００６４】
また、上記実施形態では、メインパネルとサブパネルの２つの液晶表示パネルを含む場合について説明したが、本発明はこれに限らず、３つ以上の表示パネルを含む場合にも同様に適用可能である。
【００６５】
また、上記実施形態では、液晶表示パネルを含む表示装置に本発明を適用する場合について説明したが、本発明はこれに限らず、ＥＬ表示パネルなどの自発光素子を含む表示装置にも適用可能である。ＥＬ表示パネルに適用する場合、たとえば、メインパネルをトップエミッション（Ｔｏｐ　Ｅｍｉｓｓｉｏｎ）型とし、サブパネルをボトムエミッション（Ｂｏｔｔｏｍ　Ｅｍｉｓｓｉｏｎ）型とすればよい。
【００６６】
また、上記実施形態では、サブパネルの各画素にデータを一定期間保持するために補助容量を接続するように構成したが、本発明はこれに限らず、サブパネルの各画素にデータを一定期間保持するためにＳＲＡＭ（スタティックメモリ）を内蔵するようにしてもよい。
【００６７】
【発明の効果】
以上のように、本発明によれば、同一のガラス基板上に第１表示パネルおよび第２表示パネルを形成するとともに、シフトレジスタを共用化することによって、複数の表示パネルを含む場合に、より小型化を図ることができる。
【図面の簡単な説明】
【図１】本発明の第１実施形態によるメインパネルとサブパネルとを含む携帯電話用の液晶表示装置を示した平面図である。
【図２】図１に示した第１実施形態による液晶表示装置のＶシフトレジスタ周辺の内部構成を示した回路図である。
【図３】図２に示した第１実施形態による液晶表示装置のＶシフトレジスタの駆動方法を説明するためのタイミングチャート図である。
【図４】本発明の第２実施形態によるメインパネルとサブパネルとを含む携帯電話用の液晶表示装置を示した平面図である。
【図５】従来のメインパネルとサブパネルとを含む折りたたみ式の携帯電話を示した斜視図である。
【図６】従来のメインパネルとサブパネルとを含む折りたたみ式の携帯電話を示した斜視図である。
【符号の説明】
１、５１　ガラス基板（基板）
２、５２　メインパネル（第１表示パネル）
３、５３　サブパネル（第２表示パネル）
４、５４　Ｖシフトレジスタ（第１シフトレジスタ）
５、５５　Ｖレベルシフタ（レベルシフタ）
６、５６　Ｈシフトレジスタ（第２シフトレジスタ）
４１、４２　出力停止回路
【図１】
2004070224.tif 000003
【図２】
2004070224.tif 000004
【図３】
2004070224.tif 000005
【図４】
2004070224.tif 000006
【図５】
2004070224.tif 000007
【図６】
2004070224.tif 000008